(57)【特許請求の範囲】
【請求項１】
室内側に開口する箱体状で、その内部に室内と室外とを連通する排気通路及び給気通路を交差させて形成した本体と、前記排気通路内に配設される排気ファンと、前記給気通路内に配設される給気ファンと、これら排気ファン及び給気ファンを駆動するモータと、このモータの運転を操作するプルスイッチを有する箱状のスイッチ箱と、このスイッチ箱を納めた電装箱とを備えた空調換気扇において、
前記排気ファンが配設された排気ファンケースの外側と、この排気ファンケースが収納された本体ケースの内側とで囲まれた隅の部に前記電装箱は配置されており、この電装箱に収められたスイッチ箱の前記プルスイッチに紐を取り付け、この電装箱には、この紐の引き出し方向が下方向または横方向になるように前記スイッチ箱を電装箱内で少なくとも２通りに取付可能にするための突起片並びにピンを設けたことを特長とする空調換気扇。
【請求項２】
前記プルスイッチの引き出し方向が横方向になるようにスイッチ箱を取り付けた場合に、前記プルスイッチの紐の途中を支えて横方向に導くガイド部を前記本体フレームの板に沿って設けたことを特長とする請求項１に記載の空調換気扇。
【発明の詳細な説明】
【０００１】
【発明の属する技術分野】
本発明は、室内の汚れた空気を室外に排出するとともに、室外の新鮮空気を室内に吸い込み、この際に外気と室内空気との間で熱交換を行わせて冷暖房のエネルギーロスを低減するようにした空調換気扇に関する。
【０００２】
【従来の技術】
従来、温度差のある室内空気と外気とを、混ざらないように交差させて熱交換する空調換気扇の需要が増えつつある。
【０００３】
図７は、従来の一般的な空調換気扇の通風路の一例を示す説明図である。この種の空調換気扇１０１は、前面側に２つの開口部１０２、１０３及び背面側に２つの開口部１０４、１０５を有する箱体状の本体ケース１０１Ａを備え、本体ケース１０１Ａ内には、室壁１０６に設けられた２つの貫通孔１０７、１０７を通して室内側と室外側とを連通する排気通路１１２及び給気通路１１５が形成されている。排気通路１１２及び給気通路１１５は本体ケース１０１Ａ内で区画して交差され、この交差部に熱交換素子組立体１２２が設けられている。そして、それぞれの通路１１２、１１５を通過する空気が熱交換素子組立体１２２内を通過するとき、空気間の熱交換を行う。
【０００４】
本体内部の右側には、排気通路１１２に設けた樹脂製の排気ファンケース１１３を配置するとともに、給気通路１１５に設けた樹脂製の給気ファンケース１１６を配置している。排気ファンケース１１３の内部には排気ファン１１４が、給気ファンケース１１６の内部には給気ファン１１７が配設されている。
【０００５】
排気ファンケース１１３と給気ファンケース１１６との間には、前後方向に回転軸を有するモータ１２３が配置され、このモータ１２３の回転軸にそれぞれ排気ファン１１４と給気ファン１１７とが取り付けられている。
【０００６】
排気ファンケース１１３と給気ファンケース１１６の外側の右下部には、電装箱（図示せず）が配設され、この電装箱には前記モータ１２３の運転を操作するプルスイッチ、モータ１２３の運転用コンデンサ等の電気部品が内蔵され電気部品類及びモータ１２３が複数のリード線によって接続されている。プルスイッチにはばねが設けられ、引いた後、元の位置にもどるようになっている。プルスイッチを１回引く毎に空調換気扇１０１の運転のオンとオフとを繰り替えして行う。
【０００７】
図８は図７の空調換気扇１０１の正面図である。本体１０１Ａの右下部には、プルスイッチを操作する紐１２５が下方に垂下されている。
【０００８】
【発明が解決しようとする課題】
ところで、空調換気扇１０１は一般に部屋の上部の壁に設置され、場合によっては部屋の右隅に設置されることがある。この場合、本体１０１Ａの右端に壁が迫っていると、紐１２５を操作するとき、手が壁に当たって操作しにくいという問題があった。
【０００９】
本発明は上述のような従来の問題点を解消したものであり、本体下部に垂下されるプルスイッチの紐の位置を変更可能に取り付けることのできる空調換気扇を提供することを目的とする。
【００１０】
【課題を解決するための手段】
上記目的を達成するために、請求項１記載の発明は、室内側に開口する箱体状で、その内部に室内と室外とを連通する排気通路及び給気通路を交差させて形成した本体と、前記排気通路内に配設される排気ファンと、前記給気通路内に配設される給気ファンと、これら排気ファン及び給気ファンを駆動するモータと、このモータの運転を操作するプルスイッチを有する箱状のスイッチ箱と、このスイッチ箱を納めた電装箱とを備えた空調換気扇において、前記排気ファンが配設された排気ファンケースの外側と、この排気ファンケースが収納された本体ケースの内側とで囲まれた隅の部に前記電装箱は配置されており、この電装箱に収められたスイッチ箱の前記プルスイッチに紐を取り付け、この電装箱には、この紐の引き出し方向が下方向または横方向になるように前記スイッチ箱を電装箱内で少なくとも２通りに取付可能にするための突起片並びにピンを設けたことを特長とする。
【００１１】
請求項２に記載の発明は、請求項１記載の空調換気扇において、前記プルスイッチの引き出し方向が横方向になるようにスイッチ箱を取り付けた場合に、前記プルスイッチの紐の途中を支えて横方向に導くガイド部を前記本体フレームの板に沿って設けたことを特長とする。
【００１２】
【発明の実施の形態】
以下、本発明の一実施形態を図１〜図５の図面に基づいて説明する。図１は本発明の一実施形態における空調換気扇の斜視図、図２は図１の空調換気扇の排気通路と給気通路を示す平面図、図３は図１の前面グリルを外した状態を示す斜視図である。
【００１３】
図１において、空調換気扇１の本体１Ａは、背面に開口を有する本体フレーム２と前面に開口を有する前面グリル３とからなる箱体状の本体ケース４を有し、室内の壁面に設置されている。
【００１４】
図２において、本体１Ａ内には、室壁５に設けられた２つの貫通孔６、６及び本体フレーム２に形成された２つの開口部９、１０を通して室内と室外とを連通する排気通路７及び給気通路８が交差して区画形成されている。この交差部１２は本体１Ａ内の左側に位置し、この交差部１２には熱交換素子組立体１３が配設されている。
【００１５】
図３において、この熱交換素子組立体１３には、熱交換素子１５とこの熱交換素子１５を収納する素子収納枠１４とを有し、素子収納枠１４の外側には外気フィルタ、及びプレフィルタ等のフィルタ類（図示せず）が装着される。
【００１６】
熱交換素子１５は、内部に交互に交差させて積み重ねた複数の素子を有し、２つの素子通風路が形成されている。一方の方向の素子通風路が排気通路７に、他方の方向の素子通風路が給気通路８にそれぞれ連通され、これらの素子通風路を通過する空気間で熱交換を行う。
【００１７】
また、本体１Ａ内部の右側には、排気通路７に設けた樹脂製の排気ファンケース４１を配置するとともに、給気通路８に設けた樹脂製の給気ファンケース４２を配置している。排気ファンケース４１の内部には排気ファン４８が、給気ファンケース４２内部には給気ファン４５が配設されている。
【００１８】
また、排気ファンケース４１と給気ファンケース４２との間には、前後方向に回転軸を有するモータ５１が配置され、これらモータ５１の回転軸にそれぞれ排気ファン４８と給気ファン４５とが取り付けられている。
【００１９】
図４は空調換気扇の電装箱にスイッチ箱を通常の取付方（スイッチ箱の下方から操作用の紐を取り出す）で取り付けた場合を、電装箱の一部を外して示した斜視図である。排気ファンケース４１と給気ファンケース４２の外側の右下部には、スイッチ箱６２を内蔵する電装箱６１が配置されている。
【００２０】
前記スイッチ箱６２は直方体をしており、内部に前記モータ５１の運転を操作するプルスイッチ６３が設けられている。このプルスイッチ６３には紐６７がつながれ、この紐６７がスイッチ箱６２に形成された紐通孔６４を通して外に引き出される。紐通孔６４を有する面に対向する側は、一部が開口しており、プルスイッチ６３に接続された複数のリード線（図示せず）がこの開口を通してモータ５１や電源コード等の他の電気部品（図示せず）に接続されている。スイッチ箱６２は、通常、紐通孔６４を有する面を下向きにして取り付けられる。このとき、スイッチ箱６２の長方形の前板６２ａは横長に取り付けられている。
【００２１】
前記電装箱６１は、ケースを有してこのケースが２つに分割できるようになっている。分割されたケースの一方６１ａは、左側板６５ａとこの左側板６５ａの奥行方向の中間位置に縦向きの中間板６６が設けられている。この中間板６６には前側にスイッチ箱６２が、後側にモータ運転用コンデンサ（図示せず）が取り付けられる。前側にはスイッチ箱６２を取り付けるために前方に突出した３個の突起片６８ａ、６８ｂ、６８ｃ及び４個のピン６９ａ、６９ｂ、６９ｃ、６９ｄが形成され、左側板６５ａとこの左側板６５ａに対向する突起片６８ｂ、及び残りの対抗する２個の突起片６８ａ、６８ｃ同士が前記前６２ａ板の長辺寸法Ｌの間隔で配設され、それぞれのピン６９ａ、６９ｂ、６９ｃ、６９ｄは正方形の角の位置に、前板６２ａの短辺寸法Ｓの間隔で配設されている。分割されたケースの他方（図示せず）には、上下の板と右側板と前後の板が形成され、下板には紐６７の通孔が形成されている。
【００２２】
このように構成された電装箱６１及びスイッチ箱６２において、スイッチ箱６２は、図４に示すように、長方形の前板６２ａが横長になるように取り付けられ、通孔６４を有する面及びその対向する面がピン６９ａと６９ｃ間、及び６９ｂと６９ｄ間に挟持され、他の２面が左側板６５ａ及び対向する突起片６８ｂ間に挟持される。紐６７は空調換気扇本体１Ａから下方に垂下され、この紐６７を下に引いて操作することによって空調換気扇１の運転をオンオフすることができる。
【００２３】
図５は図４とスイッチ箱の別の取付方（スイッチ箱の左側方から操作用の紐を取り出す）を示した斜視図である。スイッチ箱６２の長方形の前板６２ａが縦長になるように、通孔６４が左側にくるように取り付けられている。また、電装箱６１の左側板６５ａには通孔６４と同じ高さ位置に横長の切欠き７１が設けられている。
【００２４】
図６は図５の前面グリルを外して示した空調換気扇の正面図である。空調換気扇１の内側下部には紐６７を導くための複数のガイド部７２、７３、７４が形成されている。排気ファンケース４１の下方には、本体フレーム２の下板２ａ上方に前方に突出するピン７５を設け、下板２ａとピン７５との間の隙間に紐６７を導く第１ガイド部７２が設けられ、本体１Ａ中央部に設けられた仕切板７６には切欠き７７を設け、この切欠き７７に紐６７を導く第２ガイド部７３が設けられ、さらに本体１Ａ左端の本体フレーム２の下板２ａから前方に突出して設けられた突起片７８ａには上方に開口する溝部７８ａを設け、この溝部７８ａの上から開口を封鎖する取付具７８ｃを取り付け、紐６７を導く第３ガイド部７４が設けられている。
【００２５】
このように構成された電装箱６１、スイッチ箱６２及びガイド部７２、７３、７４において、スイッチ箱６２は、図５に示すように、長方形の前板６２ａが縦長になるように取り付けられ、通孔６４を有する面及びその対向する面がピン６９ａと６９ｂ間、及び６９ｃと６９ｄ間に挟持され、他の２面が突起片６８ａ、６８ｃ間に挟持される。紐６７がスイッチ箱６２から左横方向に導かれ、第１、第２、第３ガイド部７２、７３、７４に通され、第３ガイド部７４で下方向に向きを変えて空調換気扇１の下方に垂下される。紐６７は垂下された位置で下に引くことによって空調換気扇１の運転をオンオフすることができる。なお、第３ガイド部７４下方の前面グリル３の位置にはこの紐６７を通すための切欠き（図示せず）が形成されている。
【００２６】
以上説明したように、空調換気扇１の電装箱６１に取り付けられるスイッチ箱６２の取付方向を容易に変えて取り付けることができるので、空調換気扇１の運転操作するための紐６７の取り出し方向を容易に変更することができる。このため、空調換気扇１を操作するための紐６７は、通常、本体右端の位置に配置されるが、スイッチ箱６２の紐取り出し方向を横向きに変更し、紐６７をそれぞれのガイド部７２、７３、７４に通して本体１Ａ左端の位置に導き、本体１Ａ左端から垂下するように配置することにより、空調換気扇１の操作の利便性を向上することができる。
【００２７】
以上、一実施形態に基づいて本発明を説明したが、本発明はこれに限定されるものではない。
【００２８】
【発明の効果】
以上説明したように、室内側に開口する箱体状で、その内部に室内と室外とを連通する排気通路及び給気通路を交差させて形成した本体と、前記排気通路内に配設される排気ファンと、前記給気通路内に配設される給気ファンと、これら排気ファン及び給気ファンを駆動するモータと、このモータの運転を操作するプルスイッチを有する箱状のスイッチ箱と、このスイッチ箱を納めた電装箱とを備えた空調換気扇において、前記排気ファンが配設された排気ファンケースの外側と、この排気ファンケースが収納された本体ケースの内側とで囲まれた隅の部に前記電装箱は配置されており、この電装箱に収められたスイッチ箱の前記プルスイッチに紐を取り付け、この電装箱には、この紐の引き出し方向が下方向または横方向になるように前記スイッチ箱を電装箱内で少なくとも２通りに取付可能にするための突起片並びにピンを設け、更に前記プルスイッチの引き出し方向が横方向になるようにスイッチ箱を取り付けた場合に、前記プルスイッチの紐の途中を支えて横方向に導くガイド部を前記本体フレームの板に沿って設けたので、このスイッチ箱が縦横のいずれの向きにも容易に変更して取り付けることができるので、プルスイッチの紐取り出し方向を下向きに取り出して本体右下方で操作できるとともに、横向き方向に取り出して取り出した紐を本体内に形成されたガイド部を介して本体左下方から取り出して本体左下方でも操作でき、利便性を向上することができる。
【図面の簡単な説明】
【図１】本発明の一実施形態における空調換気扇を示す外観斜視図である。
【図２】図１の排気通路と給気通路とを示した平面図である。
【図３】図１の前面グリルを外して示した斜視図である。
【図４】図１の空調換気扇の電装箱にスイッチ箱を取り付けた状態を示した斜視図である。
【図５】図４とスイッチ箱の別の取付方を示した斜視図である。
【図６】図５の前面グリルを外して示した空調換気扇の正面図である。
【図７】従来の空調換気扇の排気通路と給気通路を示す平面図である。
【図８】従来の空調換気扇の正面図である。
【符号の説明】
１  空調換気扇
１Ａ  空調換気扇本体
７  排気通路
８  給気通路
４５  給気ファン
４８  排気ファン
５１  モータ
６１  電装箱
６２  スイッチ箱
６３  プルスイッチ
６７  紐
７２  第１ガイド部
７３  第２ガイド部
７４  第３ガイド部
【図１】
0004660027.tif 000002
【図２】
0004660027.tif 000003
【図３】
0004660027.tif 000004
【図４】
0004660027.tif 000005
【図５】
0004660027.tif 000006
【図６】
0004660027.tif 000007
【図７】
0004660027.tif 000008
【図８】
0004660027.tif 000009